(57)【要約】【課題】背凭れに簡単に装着することができ、かつ、表示部に表示された表示物が捲れたり剥がれ落ちたりして見栄えが損われることがない表示用カバーを提供すること。【解決手段】表示用カバー５は、背凭れ４の前面４ａと対向する前面部５ａが伸縮性を有する布シート９から構成されるとともに、背面部５ｂがビニールシート１０から構成されている。また、ビニールシート１０の背面１０ａには表示部が形成され、ビニールシート１０の内面には、抜け止め用のスポンジシート１１が一体化されている。【選択図】図４
2010036009.tif 000002
【特許請求の範囲】
【請求項１】
椅子の背凭れの上方から装着可能に形成されるとともに、前記背凭れの背面と対向する背面部に、所定の表示物が表示される表示部が設けられる表示用カバーであって、
前記表示用カバーは、前記背凭れの前面と対向する前面部が伸縮性を有する伸縮性シートから構成されるとともに、前記背面部がビニールシートから構成され、該ビニールシートの外面には前記表示部が形成され、前記ビニールシートの内面にはスポンジシートが一体化されていることを特徴とする表示用カバー。
【請求項２】
前記前面部の上部にマチ部を形成したことを特徴とする請求項１に記載の表示用カバー。
【請求項３】
前記ビニールシートと前記スポンジシートとは、周縁部を覆うテープ材を介して縫製されることで一体化されていることを特徴とする請求項１または２に記載の表示用カバー。
【請求項４】
前記伸縮性シートにおける下縁部を除く周縁部が、前記テープ材を介して前記ビニールシートと前記スポンジシートとともに縫製されていることを特徴とする請求項３に記載の表示用カバー。
【請求項５】
前記椅子は、遊技場に設置される複数の遊技機に対応して配設される椅子であって、
前記表示部には、前記背凭れカバーを装着する椅子に対応する遊技機に使用されている機種固有のキャラクタが描かれていることを特徴とする請求項１ないし４のいずれかに記載の表示用カバー。
【発明の詳細な説明】
【技術分野】
【０００１】  本発明は、椅子の背凭れの上方から装着可能に形成されるとともに、前記背凭れの背面と対向する背面部に、所定の表示物が表示される表示部が設けられる表示用カバーに関する。
【背景技術】
【０００２】  従来、この種の表示用カバーとしては、例えば内面に発泡ウレタン層を備えたクッション性を有するシートを下方開放の袋状体に縫製し、椅子の背凭れを上方から着脱自在に装着できるようにするとともに、その背面に、例えば遊技機の入れ替えを行った旨や、遊技場が実施しているイベント内容や女性専用台である旨等の種々の宣伝・広告情報を印刷した表示シートを着脱自在に取り付けることができるようにしたもの等がある（例えば、特許文献１参照）。【０００３】
【特許文献１】登録実用新案第３０９９２１８号公報（第４頁、第１−２図参照）
【発明の開示】
【発明が解決しようとする課題】
【０００４】  しかしながら、上記特許文献１に記載の表示用カバーにあっては、表示用シートをカバーの背面に着脱自在とするためのファスナテープ等を、表示用シート及びカバーの背面双方に設けなくてはならないため、製造や表示用シートの交換に手間がかかるばかりか、背面に取り付けられた表示用シートが遊技客に当たって捲れるあるいは剥がれ落ちてしまう等の問題があった。【０００５】  本発明は、このような問題点に着目してなされたもので、背凭れに簡単に装着することができ、かつ、表示部に表示された表示物が捲れたり剥がれ落ちたりして見栄えが損われることがない表示用カバーを提供することを目的とする。
【課題を解決するための手段】
【０００６】  前記課題を解決するために、本発明の請求項１に記載の表示用カバーは、
椅子の背凭れの上方から装着可能に形成されるとともに、前記背凭れの背面と対向する背面部に、所定の表示物が表示される表示部が設けられる表示用カバーであって、
前記表示用カバーは、前記背凭れの前面と対向する前面部が伸縮性を有する伸縮性シートから構成されるとともに、前記背面部がビニールシートから構成され、該ビニールシートの外面には前記表示部が形成され、前記ビニールシートの内面にはスポンジシートが一体化されていることを特徴としている。
この特徴によれば、表示用カバーを背凭れに装着する際に、伸縮性シートを伸縮させることができるため、大きさや形状が異なる種々の背凭れにも簡単に装着できるばかりか、装着後に締め付け力が働くため、背凭れから逸脱しにくくなる。しかも、表示部が設けられる背面部がビニールシートから構成されることで、装着された状態において表示部に表示された表示物が伸びることがないので、表示部の見栄えが損なわれることがない。また、ビニールシートの内面に軽量のスポンジシートが一体化されていることで、背凭れの背面とスポンジシートとの摩擦抵抗作用によって、背凭れからの逸脱がより防止されるばかりか、装着の際にスポンジシートが伸張されることがないので、スポンジシートの破損が防止される。【０００７】  本発明の請求項２に記載の表示用カバーは、請求項１に記載の表示用カバーであって、
前記前面部の上部にマチ部を形成したことを特徴としている。
この特徴によれば、伸縮性シートからなる前面部に厚みを持たせることができるので、背凭れカバーを背凭れに装着した状態において、背面部の端部が前面部側に回り込んで表示部が見難くなることを防止できる。【０００８】  本発明の請求項３に記載の表示用カバーは、請求項１または２に記載の表示用カバーであって、
前記ビニールシートと前記スポンジシートとは、周縁部を覆うテープ材を介して縫製されることで一体化されていることを特徴としている。
この特徴によれば、ビニールシートとスポンジシートとの周縁部を見栄えよく被覆した状態で一体化できる。【０００９】  本発明の請求項４に記載の表示用カバーは、請求項３に記載の表示用カバーであって、
前記伸縮性シートにおける下縁部を除く周縁部が、前記テープ材を介して前記ビニールシートと前記スポンジシートとともに縫製されていることを特徴としている。
この特徴によれば、ビニールシート、スポンジシート及び伸縮性シートの周縁部を見栄えよく被覆した状態で一体化できる。【００１０】  本発明の請求項５に記載の表示用カバーは、請求項１ないし４のいずれかに記載の表示用カバーであって、
前記椅子は、遊技場に設置される複数の遊技機に対応して配設される椅子であって、
前記表示部には、前記背凭れカバーを装着する椅子に対応する遊技機に使用されている機種固有のキャラクタが描かれていることを特徴としている。
この特徴によれば、背凭れの背面部を、対応する遊技機の機種の宣伝・広告用スペースとして利用することができる。
【発明を実施するための最良の形態】
【００１１】  本発明に係る表示用カバーを実施するための最良の形態を実施例に基づいて以下に説明する。
【実施例】
【００１２】  本発明の実施例を図面に基づいて説明する。図１は、本発明の実施例としての背凭れカバーが椅子に適用された状態を示す斜視図である。図２（ａ）は、図１に適用された背凭れカバーを示す正面図であり、（ｂ）は、背面図である。図３（ａ）は、図２（ａ）のＡ−Ａ断面図であり、（ｂ）は、図２（ａ）の平面図である。図４（ａ）は、背凭れカバーが背凭れに装着された状態を示す要部拡大断面図であり、（ｂ）は、（ａ）のＢ−Ｂ断面図である。以下、図２（ａ）の上下左右側を背凭れカバーの上下左右側、手前側を背凭れカバーの前面側、奥側を背凭れカバーの背面側とし、図３（ａ）の左惻を背凭れカバーの背面側、右側を背凭れカバーの前面側として説明する。【００１３】  図１には、本発明の表示用カバーとしての背凭れカバーが適用された遊技場内の一部が示されている。本実施例における遊技場内には、遊技機の一例であるパチンコ機２が複数設置された遊技島１が複数（図１中には１島のみ）配設されているとともに、各遊技島１に複数設置された各パチンコ機２に対応して椅子３が配設されており、各椅子３の背凭れ４（図４（ａ）参照）には、本発明の実施例としての背凭れカバー５が装着されている。【００１４】  本実施例におけるパチンコ機２は、複数種類の図柄を変動表示させることが可能な可変表示装置６を備えており、各可変表示装置６による変動表示結果として、例えば７７７等の予め定められた当たり図柄の組合せが入賞ライン上に揃うと、遊技客に対して遊技媒体の一例であるパチンコ球が所定量払い出されるようになっている。また、遊技客に対して払い出されたパチンコ球は、図１に示されるように、各パチンコ機２に対応して配置される遊技媒体貯留箱としての球箱８内に貯留できるようになっている。なお、球箱８の側面には、可変表示装置６にて変動表示される複数種類の図柄のうちの１種の図柄が印刷されたシール７が貼着されている。【００１５】  背凭れカバー５は、図２〜図４に示されるように、背凭れ４の上方から着脱自在に装着できるように下面側が開口する袋状体に形成されている。【００１６】  具体的には、背凭れカバー５は、図２（ａ）、（ｂ）及び図３（ａ）に示されるように、主に、伸縮性を有するナイロン繊維から成る布シート９（伸縮性シート）と、ポリ塩化ビニル樹脂材から成るビニールシート１０と、発泡ウレタン樹脂材から成るスポンジシート１１と、から構成されている。【００１７】  布シート９は、図２（ａ）及び図３（ａ）に示されるように、略直方形に形成されており、装着時において、背凭れ４の前面４ａ（着座者側）と対向する背凭れカバー５の前面部５ａを構成している（図４（ａ）参照）。また、布シート９の上下寸法は、ビニールシート１０及びスポンジシート１１よりも短寸であり、布シート９の上部の左右側角部は、丸みを帯びるラウンド形状になっている。【００１８】  ビニールシート１０及びスポンジシート１１は、図２（ｂ）及び図３（ａ）に示されるように、略長方形の上半部と、略半円形の下半部と、から成る形状とされ、その上半部は布シート９と同形状に形成されており、装着時において、背凭れ４の背面４ｂと対向する背凭れカバー５の背面部５ｂを構成している。尚、ビニー���シート１０の上部の左右側角部は、丸みを帯びるラウンド形状になっている。【００１９】  ビニールシート１０及びスポンジシート１１は、互いに前後に重ね合わせた状態で、それらの周縁部を帯状の布製テープ材１２により覆った状態で縫製することにより一体化され（図３（ａ）の拡大図Ｅ参照）、また、ビニールシート１０と一体化されたスポンジシート１１の内面側には、布シート９が、その上縁及び左右縁をスポンジシート１１の上縁及び左右縁に合わせた状態で、ビニールシート１０及びスポンジシート１１とともに、テープ材１２により覆った状態で縫製することにより一体化されている（図３（ａ）の拡大図Ｄ参照）。つまり、布シート９の下縁部を除く周縁部（上縁及び左右縁）が、テープ材１２を介して、ビニールシート１０及びスポンジシート１１ともに縫製されているため、ビニールシート１０、スポンジシート１１及び布シート９の周縁部をテープ材１２により見栄えよく被覆した状態で一体化されている。【００２０】  このように、背凭れカバー５の上部において、布シート９の上縁及び左右縁と、ビニールシート１０及びスポンジシート１１の上縁及び左右縁と、が一体化されることで、スポンジシート１１の上半部と布シート９とにより、下面側が開口する袋状体が形成される。【００２１】  ビニールシート１０の背面１０ａ（外面）には、例えば図１に示されるように、当該背凭れカバー５を装着する椅子３に対向配置されているパチンコ機２に使用されているキャラクタＣ、詳しくは、該パチンコ機２に備えられた可変表示装置６の表示画面上に変動表示される複数種類の図柄として使用される表示物としてのキャラクタＣ（図２（ｂ）では配列番号７番の図柄）が印刷されている。【００２２】  本実施例においては、可変表示装置６にて変動表示される複数種類の図柄のうちの１種のキャラクタＣが、背面１０ａに印刷されている。このようにビニールシート１０の背面１０ａに、可変表示装置６の表示画面上に変動表示される複数種類の図柄として使用されるキャラクタＣが印刷される表示部が設けられていることで、図１に示されるように、背凭れ４の背面スペースを、対応するパチンコ機２の機種の宣伝・広告用スペースとして利用することができる。【００２３】  さらに、このようなキャラクタＣを、少なくともパチンコ機２の可変表示装置６の画面上に表示されているよりも大きなスペースである背凭れカバー５の背面１０ａ（外面）に印刷することができることで、遊技場内の遊技客のみならず、遊技場外からの視認性が高まるため、パチンコ機２の近傍に行かなくてもパチンコ機２の機種を遠方から特定することができる。また、キャラクタＣを可変表示装置６にて変動表示される図柄とすることで、印刷されたキャラクタＣを見た遊技客がその椅子３に対応するパチンコ機２の機種をより特定しやすくなる。【００２４】  布シート９の上部の左右両端部には、図２（ａ）及び図３（ａ）、（ｂ）に示されるように、マチ部１３，１３が形成されている。マチ部１３，１３は、布シート９の上部の左右側端部を前面側に突出させるように、その突出させた布シート９の上部の左右側端部をそれぞれ左右に折り返して縫うことで形成され、このマチ部１３，１３により���布シート９に前後方向の厚みを持たせ、背凭れカバー５を背凭れ４に深く装着できるようになっている。【００２５】  次に、このように構成された背凭れカバー５の使用状況を、図４（ａ）、（ｂ）に基づいて説明する。先ず、図４（ａ）、（ｂ）に示されるように、背凭れカバー５を使用する際には、布シート９を伸長させた状態で、背凭れカバー５を背凭れ４の上方から被せるようにして装着する。【００２６】  ここで、背面部５ｂがビニールシート１０から構成されていることで、前面部５ａ側の布シート９のみを伸長させることで背凭れ４に装着することができ、さらに装着された状態において、布シート９の収縮力により背凭れ４を締め付ける作用が働く。【００２７】  従って、背凭れカバー５を背凭れ４に装着するだけで、バンドや紐等により背凭れカバー５を背凭れ４に締め付けたりしなくても、装着した際における背凭れカバー５の背凭れ４に対する位置ずれや、例えば着座者の離席時における逸脱が効果的に防止される。【００２８】  また、背凭れカバー５の前面部５ａ側のみを布シート９にて構成して伸縮性を持たせることで、表示部が構成される背面部５ｂの伸張を防止しつつ、大きさや形状が異なる種々の背凭れ４にも装着することができ、更に、交換する際には上方に引き抜くだけで簡単に背凭れ４から取り外すことができるため、例えば遊技店によって背凭れ４の大きさや形状の異なる場合でも、複数種類の背凭れカバー５を用意することなく対応できる。また、布シート９の収縮作用により、ビニールシート１０が周縁に向けて引っ張られることにより張設されるため、その背面１０ａの表示部に印刷された表示物であるキャラクタＣの見栄えが効果的に向上する。【００２９】  また、背凭れカバー５を背凭れ４に装着する際あるいは装着された状態において、背凭れカバー５の背面部５ｂを構成するビニールシート１０が大きく伸張することがないので、その背面１０ａにより構成される表示部に印刷されたキャラクタＣが伸びて見栄えが損なわれることがないばかりか、このビニールシート１０と一体化されたスポンジシート１１が破れることが防止される。【００３０】  また、布シート９の上部の左右側端部にマチ部１３，１３が形成されていることで、布シート９に前後方向に厚みを持たせることができるため、背凭れカバー５を背凭れ４に装着した状態において、例えば背面１０ａの上縁部や左右側縁部が、前面部５ａ側に回り込んでキャラクタＣが見難くなることを防止することができる。【００３１】  また、表示部がポリ塩化ビニル樹脂材から成るビニールシート１０の背面１０ａにて形成されることで、キャラクタＣを印刷してもインキが滲み難いので、見栄え良く表示することができる。【００３２】  また、ビニールシート１０の前面側に軽量のスポンジシート１１が一体化されていることで、背凭れ４の背面４ｂとスポンジシート１１との摩擦抵抗作用によって、装着時における背凭れ４からの逸脱がより防止される。特に、このような抜け止め防止用のシートとして、発泡ウレタン樹脂材から成る軽量のスポンジシート１１を採用することで、ゴムシート等を設けた場合に比べて、背凭れカバー５を軽量化することができる。【００３３】  以上、本発明の実施例���図面により説明してきたが、具体的な構成はこれら実施例に限られるものではなく、本発明の要旨を逸脱しない範囲における変更や追加があっても本発明に含まれる。【００３４】  例えば、前記実施例では、背凭れカバー５は、下面側が開口する袋状体に形成されているが、これに限らず、背凭れの背面と対向する背面部と背凭れの前面と対向する前面部とを有すれば、例えば、一体化したビニールシート及びスポンジシートと、布シートと、の左右縁のみを接合し、上面側及び下面側が開口する筒状の背凭れカバーであっても良い。【００３５】  また、前記実施例では、布シート９は、ナイロン繊維等からなっているが、伸縮性を有するものであれば材質は限定されるものではなく、例えば、綿やポリウレタン繊維から成る伸縮性シートであっても良い。【００３６】  また、前記実施例では、ビニールシート１０は、ポリ塩化ビニル樹脂材から成っているが、前面部５ａを構成する布シート９と比べて伸縮性が低いものであれば、例えば、ポリエステル樹脂材やポリエチレン樹脂材からなるビニールシートであっても良い。【００３７】  また、前記実施例では、スポンジシート１１は、発泡ウレタン樹脂材から成っているが、これに限らず、摩擦抵抗作用を有するものであれば、例えば、ゴム材や海綿から成るスポンジシートであっても良い。【００３８】  また、前記実施例では、ビニールシート１０とスポンジシート１１とはそれらの周縁部をテープ材１２により覆った状態で縫製することにより一体化されていたが、テープ材１２を使用せずに縫製するだけでも良いし、あるいは接着、溶着等により一体化しても良いし、あるいは周縁部のみならず、全体を貼着することで一体化しても良い。【００３９】  また、前記実施例では、表示部に、背凭れカバー５を装着する椅子３に対応するパチンコ機２に使用されている機種固有のキャラクタＣが表示されているが、表示部に表示される表示物は遊技機に使用されている機種固有のキャラクタに限定されるものではなく、例えば、遊技店が実施しているイベント内容や女性専用台である旨等の種々の宣伝・広告情報でも良いし、あるいは単なる装飾等が表示されても良い。
【図面の簡単な説明】
【００４０】
【図１】本発明の実施例としての背凭れカバーが椅子に適用された状態を示す斜視図である。
【図２】（ａ）は図１に適用された背凭れカバーを示す正面図であり、（ｂ）は背面図である。
【図３】（ａ）は図２（ａ）のＡ−Ａ断面図であり、（ｂ）は図２（ａ）の平面図である。
【図４】背凭れカバーが背凭れに装着された状態を示す要部拡大断面図であり、（ｂ）は、（ａ）のＢ−Ｂ断面図である。
【符号の説明】
【００４１】１                遊技島
２                パチンコ機（遊技機）
３                椅子
４                背凭れ
４ａ              前面
４ｂ              背面
５                背凭れカバー
６                可変表示装置
７                シール
８                球箱
９                布シート（伸縮性シート）
１０              ビニールシート
１０ａ            背面（表示部）
１１              スポンジシート
１２              テープ材
Ｃ                キャラクタ
【図１】
2010036009.tif 000003
【図２】
2010036009.tif 000004
【図３】
2010036009.tif 000005
【図４】
2010036009.tif 000006
【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
所定の表示物が表示される表示部を備え、椅子の背凭れの背面と対向する背面部と、前記背凭れの前面と対向する前面部とを有し、前記背凭れの上方から装着可能に形成される表示用カバーであって、
前記前面部は、上部にマチ部が形成され伸縮性を有する伸縮性シートから構成され、該伸縮性シートにおける下縁部を除く周縁部が、前記背面部と一体化されており、
前記背面部は、前記表示部が形成された外面を備えたビニールシートと、前記背凭れの背面に直接に当接する内面を備えたスポンジシートとが、全周縁部に亘って覆うテープ材を介して縫製されることで一体化されており、前記内面を備えたスポンジシートを有する前記背面部は、前記背凭れよりも下方に向けて延設されていることを特徴とする表示用カバー。
【請求項２】
前記伸縮性シートにおける下縁部を除く周縁部が、前記テープ材を介して前記ビニールシートと前記スポンジシートとともに縫製されていることを特徴とする請求項１に記載の表示用カバー。
【請求項３】
前記椅子は、遊技場に設置される複数の遊技機に対応して配設される椅子であって、
前記表示部には、前記背凭れカバーを装着する椅子に対応する遊技機に使用されている機種固有のキャラクタが描かれていることを特徴とする請求項１または２に記載の表示用カバー。
【手続補正２】
【補正対象書類名】明細書
【補正対象項目名】０００６
【補正方法】変更
【補正の内容】
【０００６】  前記課題を解決するために、本発明の請求項１に記載の表示用カバーは、
所定の表示物が表示される表示部を備え、椅子の背凭れの背面と対向する背面部と、前記背凭れの前面と対向する前面部とを有し、前記背凭れの上方から装着可能に形成される表示用カバーであって、
前記前面部は、上部にマチ部が形成され伸縮性を有する伸縮性シートから構成され、該伸縮性シートにおける下縁部を除く周縁部が、前記背面部と一体化されており、
前記背面部は、前記表示部が形成された外面を備えたビニールシートと、前記背凭れの背面に直接に当接する内面を備えたスポンジシートとが、全周縁部に亘って覆うテープ材を介して縫製されることで一体化されており、前記内面を備えたスポンジシートを有する前記背面部は、前記背凭れよりも下方に向けて延設されていることを特徴としている。
この特徴によれば、表示用カバーを背凭れに装着する際に、伸縮性シートを伸縮させることができるため、大きさや形状が異なる種々の背凭れにも簡単に装着できるばかりか、装着後に締め付け力が働くため、背凭れから逸脱しにくくなる。しかも、表示部が設けられる背面部がビニールシートから構成されることで、装着された状態において表示部に表示された表示物が伸びることがないので、表示部の見栄えが損なわれることがない。また、ビニールシートの内面に軽量のスポンジシートが一体化されていることで、背凭れの背面とスポンジシートとの摩擦抵抗作用によって、背凭れからの逸脱がより防止されるばかりか、装着の際にスポンジシートが伸張されることがないので、スポンジシートの破損が防止される。
また、伸縮性シートからなる前面部に厚みを持たせることができるので、背凭れカバーを背凭れに装着した状態において、背面部の端部が前面部側に回り込んで表示部が見難くなることを防止できる。
更に、ビニールシートとスポンジシートとの周縁部を見栄えよく被覆した状態で一体化できる。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】  本発明の請求項２に記載の表示用カバーは、請求項１に記載の表示用カバーであって、
前記伸縮性シートにおける下縁部を除く周縁部が、前記テープ材を介して前記ビニールシートと前記スポンジシートとともに縫製されていることを特徴としている。
この特徴によれば、ビニールシート、スポンジシート及び伸縮性シートの周縁部を見栄えよく被覆した状態で一体化できる。
【手続補正６】
【補正対象書類名】明細書
【補正対象項目名】００１０
【補正方法】変更
【補正の内容】
【００１０】  本発明の請求項３に記載の表示用カバーは、請求項１または２に記載の表示用カバーであって、
前記椅子は、遊技場に設置される複数の遊技機に対応して配設される椅子であって、
前記表示部には、前記背凭れカバーを装着する椅子に対応する遊技機に使用されている機種固有のキャラクタが描かれていることを特徴としている。
この特徴によれば、背凭れの背面部を、対応する遊技機の機種の宣伝・広告用スペースとして利用することができる。